(57)【特許請求の範囲】
【請求項１】
作物苗を収納した苗保持体群を整列収容する育苗領域と、前記作物苗の花芽分化を促進する花芽分化促進領域とを備え、前記育苗領域より前記苗保持体を把持して前記花芽分化促進領域に移設する吊上げ移動装置を設け、前記花芽分化促進領域において、前記吊上げ移動装置によって前記苗保持体を段積み状態に積み重ね載置すべく構成し、前記苗保持体に、その苗保持体を段積み状態に積み重ねる際に上部側に位置する苗保持体との間隔を維持する複数の間隔設定具を揺動自在に備えるとともに、前記苗保持体の下部に、前記各間隔設定具に対応して、その間隔設定具を係入する係入部、又は、係合する係合部を複数設けてある育苗施設。
【請求項２】
作物苗を収納した苗保持体群を整列収容する育苗領域と、前記作物苗の花芽分化を促進する花芽分化促進領域とを備え、前記育苗領域より前記苗保持体を把持して前記花芽分化促進領域に移設する吊上げ移動装置を設け、前記花芽分化促進領域において、前記吊上げ移動装置によって前記苗保持体を段積み状態に積み重ね載置すべく構成し、前記苗保持体に、その苗保持体を段積み状態に積み重ねる際に上部側に位置する苗保持体との間隔を維持する複数の間隔設定具を揺動自在に備えるとともに、前記苗保持体の下部に、前記各間隔設定具に対応して、その間隔設定具を係入する係入部、又は、係合する係合部を複数設け、前記吊上げ移動装置が、間隔設定具を吊上げ係止して苗保持体を移設するように構成してある育苗施設。
【請求項３】
作物苗を収納した苗保持体群を整列収容する育苗領域と、前記作物苗の花芽分化を促進する花芽分化促進領域とを備え、前記育苗領域に、前記苗保持体を支持して前記花芽分化促進領域に向けて移動させるスライド移動装置を設け、前記スライド移動装置によって搬送されて来た苗保持体を吊上げ花芽分化促進領域に取り込む吊上げ移動装置を設け、前記花芽分化促進領域において前記吊上げ移動装置によって前記苗保持体を段積み状態に積み重ね載置すべく構成し、前記苗保持体に、その苗保持体を段積み状態に積み重ねる際に上部側に位置する苗保持体との間隔を維持する複数の間隔設定具を揺動自在に備えるとともに、前記苗保持体の下部に、前記各間隔設定具に対応して、その間隔設定具を係入する係入部、又は、係合する係合部を複数設けてある育苗施設。
【請求項４】
作物苗を収納した苗保持体群を整列収容する育苗領域と、前記作物苗の花芽分化を促進する花芽分化促進領域とを備え、前記育苗領域から前記花芽分化促進領域に亘って、前記苗保持体を支持して移動させるスライド移動装置を設け、前記スライド移動装置によって前記花芽分化促進領域に搬送された苗保持体を段積み状態に積み重ね載置する積み重ね装置を備え、前記苗保持体に、その苗保持体を段積み状態に積み重ねる際に上部側に位置する苗保持体との間隔を維持する複数の間隔設定具を揺動自在に備えるとともに、前記苗保持体の下部に、前記各間隔設定具に対応して、その間隔設定具を係入する係入部、又は、係合する係合部を複数設けてある育苗施設。
【発明の詳細な説明】
【０００１】
【発明の属する技術分野】
本発明は、いちご等の果樹類に対して花芽分化促進が可能な育苗施設に関する。
【０００２】
【従来の技術】
一般には、前記した果樹類も含め作物苗が成長する過程で、栄養成長から生殖成長へと転換する、いわゆる、花芽分化を行わせる必要がある。花芽分化を行う方法としては、自然環境を利用して、平地より低温の高山に苗を移して一定期間低温状態を維持する山上げ育苗（夜冷育苗）方法や、人工的なものとして、育苗施設内に空調設備を備えて花芽分化を促進する方法等が知られている。
この育苗施設内に空調設備等を備えて花芽分化を促進する方法を実践するものとして、従来、図８に示すように、作物苗を収納した苗保持体群を整列収容する育苗領域Ｂと、前記作物苗の花芽分化を促進する花芽分化促進領域Ｃとを備え、前記個々の苗保持体２を育苗領域Ｂと花芽分化促進領域Ｃに亘って移動可能に構成するために、両領域に亘って誘導レールを形成していた。
花芽分化促進領域Ｃにおいては苗保持体２を上下に配置し、育苗領域では苗保持体を平面的に整列させるために、苗保持体２を誘導するレールは育苗領域Ｂにおいても苗保持体２を上下に配置する段数だけ形成され、かつ、育苗領域Ｂにおいて苗保持体群を整列させるために、誘導レールは、下段側のもの程育苗領域内に深く入り込む状態で配置していた。
【０００３】
【発明が解決しようとする課題】
上記構成において、育苗領域より苗保持体を花芽分化促進領域に移動する際に苗保持体に収納された苗の先端部が上段の苗保持体の底面に接触しないように、誘導レールの段間を十分に確保する必要があるが、そうすると、花芽分化促進領域における収容高さが高くなるところから、設置スペースの確保という面で改善の余地があった。
【０００４】
本発明の目的は、上記実情に鑑みてなされたものであって、育苗領域と花芽分化領域との間の苗保持体の移動手段に工夫を凝らすことによって、花芽分化領域での収納高さを低く抑えることのできる育苗施設を提供する点にある。
【０００５】
【課題を解決するための手段】
（構成）
本発明の請求項１にかかる特徴構成は、作物苗を収納した苗保持体群を整列収容する育苗領域と、前記作物苗の花芽分化を促進する花芽分化促進領域とを備え、前記育苗領域より前記苗保持体を把持して前記花芽分化促進領域に移設する吊上げ移動装置を設け、前記花芽分化促進領域において、前記吊上げ移動装置によって前記苗保持体を段積み状態に積み重ね載置すべく構成し、前記苗保持体に、その苗保持体を段積み状態に積み重ねる際に上部側に位置する苗保持体との間隔を維持する複数の間隔設定具を揺動自在に備えるとともに、前記苗保持体の下部に、前記各間隔設定具に対応して、その間隔設定具を係入する係入部、又は、係合する係合部を複数設けてある点にあり、その作用効果は次の通りである。
【０００６】
（作用）
育苗領域と花芽分化促進領域との間で苗保持体を移動させる手段として、吊上げ移動装置を採用することによって、花芽分化促進領域において、育苗領域より吊下げて花芽分化促進領域に移動し、先に載置されている苗保持体の上に載せ付ける状態で次の苗保持体を載置できる。これによって段積み状態での積み重ね載置が可能になる。
【０００７】
（効果）
したがって、苗保持体を育苗領域より花芽分化促進領域に移動させる際に、苗保持体に収容された苗の先端部が他の苗保持体の底面に接触して損傷することに注意を払う必要がない。これにより、花芽分化促進領域においては、苗保持体群を間隔を詰めた状態で段積みすることができ、収納スペースを従来に比べて少なくできる。段積みする際に、上の苗保持体の底面で苗の先端部を押えることもあるが、単に押えるだけでは苗が傷むことは少なく、苗保持体の段積み間隔を小さくでき、収容スペースを少なくできる。
段積みする際にも、間隔設定具によって段積み間隔が適切に保持されるので、収納苗の先端部が上部苗保持体の底面との間に挟まれて傷むといったことを阻止できる。
【００１０】
（構成）
本発明の請求項２にかかる特徴構成は、作物苗を収納した苗保持体群を整列収容する育苗領域と、前記作物苗の花芽分化を促進する花芽分化促進領域とを備え、前記育苗領域より前記苗保持体を把持して前記花芽分化促進領域に移設する吊上げ移動装置を設け、前記花芽分化促進領域において、前記吊上げ移動装置によって前記苗保持体を段積み状態に積み重ね載置すべく構成し、前記苗保持体に、その苗保持体を段積み状態に積み重ねる際に上部側に位置する苗保持体との間隔を維持する複数の間隔設定具を揺動自在に備えるとともに、前記苗保持体の下部に、前記各間隔設定具に対応して、その間隔設定具を係入する係入部、又は、係合する係合部を複数設け、前記吊上げ移動装置が、間隔設定具を吊上げ係止して苗保持体を移設するように構成してある点にあり、その作用効果は次の通りである。
【００１１】
（作用効果）
吊上げ移動装置によって、苗保持体を育苗領域から花芽分化促進領域へ移動させる際に、収納苗の先端部が接触して傷むことを回避できる良さを維持しながら、段積みする際にも、間隔設定具によって段積み間隔が適切に保持されるので、収納苗の先端部が上部苗保持体の底面との間に挟まれて傷むといったことを阻止できる。
以上のような作用効果に加えて、間隔設定具が苗保持体を吊上げる際の係止具として兼用構成されており、機器構成の簡素化に寄与する。
【００１２】
（構成）
本発明の請求項３にかかる特徴構成は、作物苗を収納した苗保持体群を整列収容する育苗領域と、前記作物苗の花芽分化を促進する花芽分化促進領域とを備え、前記育苗領域に、前記苗保持体を支持して前記花芽分化促進領域に向けて移動させるスライド移動装置を設け、前記スライド移動装置によって搬送されて来た苗保持体を吊上げ花芽分化促進領域に取り込む吊上げ移動装置を設け、前記花芽分化促進領域において前記吊上げ移動装置によって前記苗保持体を段積み状態に積み重ね載置すべく構成し、前記苗保持体に、その苗保持体を段積み状態に積み重ねる際に上部側に位置する苗保持体との間隔を維持する複数の間隔設定具を揺動自在に備えるとともに、前記苗保持体の下部に、前記各間隔設定具に対応して、その間隔設定具を係入する係入部、又は、係合する係合部を複数設けてある点にあり、その作用効果は次の通りである。
【００１３】
（作用効果）
育苗領域と花芽分化促進領域との間で苗保持体を移動させる手段として、吊上げ移動装置を採用することによって、花芽分化促進領域において、育苗領域より吊下げて花芽分化促進領域に移動し、先に載置されている苗保持体の上に載せ付ける状態で次の苗保持体を載置できる。これによって段積み状態での積み重ね載置が可能になる。
したがって、苗保持体を育苗領域より花芽分化促進領域に移動させる際に、苗保持体に収容された苗の先端部が他の苗保持体の底面に接触して損傷することに注意を払う必要がない。これにより、花芽分化促進領域においては、苗保持体群を間隔を詰めた状態で段積みすることができ、収納スペースを従来に比べて少なくできる。段積みする際に、上の苗保持体の底面で苗の先端部を押えることもあるが、単に押えるだけでは苗が傷むことは少ないので、苗保持体の段積み間隔を小さくでき、収容スペースを少なくできる。
また、育苗領域において、スライド移動装置の採用によって、吊上げ移動装置での苗保持体を搬送距離を短くできるとともに、スライド移動装置での移動と吊上げ移動装置での移動を平行して行うことができるので、苗保持体の移動を能率良く行うことができる。
【００１４】
（構成）
本発明の請求項４にかかる特徴構成は、作物苗を収納した苗保持体群を整列収容する育苗領域と、前記作物苗の花芽分化を促進する花芽分化促進領域とを備え、前記育苗領域から前記花芽分化促進領域に亘って、前記苗保持体を支持して移動させるスライド移動装置を設け、前記スライド移動装置によって前記花芽分化促進領域に搬送された苗保持体を段積み状態に積み重ね載置する積み重ね装置を備え、前記苗保持体に、その苗保持体を段積み状態に積み重ねる際に上部側に位置する苗保持体との間隔を維持する間隔設定具を揺動自在に備えるとともに、前記苗保持体の下部に、前記各間隔設定具に対応して、その間隔設定具を係入する係入部、又は、係合する係合部を複数設けてある点にあり、その作用効果は次の通りである。
【００１５】
（作用効果）
育苗領域と花芽分化促進領域との間で苗保持体を移動させる手段として、スライド移動を採用することによって、育苗領域より花芽分化促進領域に移動させる際に、収容した苗の先端部が上部苗保持体の底面に接触するという従来構成が抱えていた欠点を考慮する必要はない。一方、同様の効果は前記した吊上げ移動装置においても達成することができるが、花芽分化促進領域においては、積み重ね装置が作動するだけであるので、吊上げ移動装置のように、育苗領域と花芽分化促進領域の高所を行き来する経路を確保する必要がなく、育苗施設として設備が大型化しない利点がある。
したがって、花芽分化促進領域においては、苗保持体群を間隔を詰めた状態で段積みすることができ、収納スペースを従来に比べて少なくできる。段積みする際に、上の苗保持体の底面で苗の先端部を押えることもあるが、単に押えるだけでは苗が傷むことは少ないので、苗保持体の段積み間隔を小さくでき、収容スペースを少なくできる。
【００１６】
【発明の実施の形態】
以下、本発明の実施の形態を図面に基づいて説明する。
( 第１実施形態)
図１に示すように、育苗施設Ａは、いちご等の作物苗ａを収納した苗保持体群を整列収容する育苗領域Ｂと、作物苗ａの花芽分化を促進する花芽分化促進領域Ｃとを備え、両領域Ｂ，Ｃに上部に亘って吊上げ移動装置１としての天井クレーン装置を設置して、構成されている。
【００１７】
育苗領域Ｂにおいては、作物苗ａを収容した苗保持体２を載置するための載置部３が複数個並設してある。載置部３はパイプ材をコノ字状に曲げ形成したもので、一対のコノ字状パイプで一つの苗保持体２を載置支持するように構成してある。載置部３に支持された苗保持体２については吊上げ移動装置１における左右一対のフック１Ａ、１Ａによって吊上げるように構成してある。
【００１８】
苗保持体２の吊上げ構造について説明する。苗保持体２を安定した姿勢で吊上げることができるように、次のような吊下げ具２Ａ、２Ａを設ける。
【００１９】
図２及び図３に示すように、苗保持体２の左右に一対のスタンドを取付け、吊下げ具２Ａ、２Ａに兼用する。つまり、苗保持体２の前後面に亘ってコノ字状のパイプ材を取付け、そのパイプ材を前記前後面との取付部位での前後軸芯Ｘ周りで上下揺動可能に枢支してスタンドに構成してある。スタンド２Ａは使用しない場合には図２及び図３に示すように苗保持体２の横壁２Ｂに寝かせて支持するとともに、吊下げ具として機能させる場合には、図２及び図３に示すように、縦向きに立設姿勢を採らせるように立ち上げる。立上げたスタンド２Ａに対してフック１Ａを係止することによって、図２に示すように、吊上げ移動装置１によって苗保持体２を吊上げることができる。
【００２０】
吊下げ具２Ａを間隔設定具としてのスタンドとして使用する場合について説明する。図２に示すように、苗保持体２の底面には、下向きに突出する複数個のリブ２ｂを横壁２Ｂに平行な状態で立設し、隣接するリブ２ｂの間にスタンド２Ａが入り込むように構成してある。つまり、図２に示すように、左右一対のスタンド２Ａ、２Ａが立設された状態で対応するリブ２ｂ間に係合して上部苗保持体２を支持可能に構成してある。図３に示すように、リブ２ｂの代わりに苗保持体２の底面に上向きに凹入する凹入部２ｃを複数個形成し、スタンド２Ａが係入するように構成してもよい。
ここに、隣接するリブ２ｂ間に形成される部分を係合部と称し、凹入部２ｃを係入部と称する。
【００２１】
花芽分化促進領域Ｃでの構造を説明する。図１乃至図３に示すように、育苗領域Ｂと同様に、作物苗ａを収容した苗保持体２を載置するための載置部３が複数個並設してある。載置部３はパイプ材をコノ字状に曲げ形成したもので、一対のコノ字状パイプで一列の苗保持体２を段積み状態で積み重ね載置支持するように構成してある。吊下げ移動装置１によって吊下げ支持された苗保持体２は、載置部３の上方まで移動した後に、下降移動して載置部３に載置される。この作業が順次繰り返されて苗保持体２は段積み状態で積み重ね載置される。上記したように、吊上げ移動装置１は、花芽分化促進領域Ｃにまで敷設してある。また、育苗処理よりも低温状態で行う為に、空調施設４を備えている。
【００２２】
以上のような構成により、図１に示すように、育苗領域Ｂにおいて、複数列に苗保持体２を整列させて、育苗を行う。そして、適切な時期に花芽分化処理を行うべく、吊上げ移動装置１で苗保持体２を吊上げて花芽分化促進領域Ｃに移設する。花芽分化促進領域Ｃにおいては、先に載置された苗保持体２の上に次の苗保持体２を積み重ねて段積み状態を構成する。所定数の苗保持体２を積み重ねた後に所定の空調を行う。
【００２３】
（第２実施形態）
第１実施形態と異なる構造について、主として説明する。図４に示すように、育苗領域Ｂにおいて、苗保持体２を支持する構造として、ローラ５Ａを複数個並設して架台７に取付けるとともに、ローラ５Ａの回転によって苗保持体２を育苗領域Ｂにおける花芽分化促進領域Ｃに近接する端部まで移動させるように構成してある。このローラ５Ａについては、回転駆動装置５Ｂが装備してある。つまり、図５に示すように、ローラ５Ａの一端にスプロケット５ａが一体回転可能に装着されるとともに、各ローラ５Ａに取付けた各スプロケット５ａに亘って駆動チェーン５ｂを巻回し、駆動チェーン５ｂを電動モータ５ｃで駆動する。これによって、苗保持体２をローラ５Ａを回転駆動することによって移動させることができる、スライド移動装置５を構成する。
ローラ５Ａの構造としては、駆動構造を持たない単に遊転するだけのものであってもよい。花芽分化促進領域Ｃ近傍まで移動させる場合は、人為的に苗保持体２を移動させることになる。
【００２４】
スライド移動装置５によって花芽分化促進領域Ｃ近傍まで移動された苗保持体２は、前記したと同様の吊上げ移動装置１によって吊上げ移動されて花芽分化促進領域Ｃに導入され、積み上げ載置される。スライド移動装置５が設けてあるので、吊上げ移動装置１の敷設長さを短くできる。
【００２５】
（第３実施形態）
育苗領域Ｂより花芽分化促進領域Ｃへ苗保持体２を移動させる手段としては、第２実施形態で示したスライド移動装置５を設置する。設置長さは、花芽分化促進領域Ｃ内まで延長する。スライド移動装置５によって搬入された苗保持体２を段積みする積み重ね装置６について説明する。図６及び図７に示すように、ローラ５Ａの両側方に積み重ね用の油圧装置を配置する。油圧装置は、苗保持体２を昇降させる二対の昇降シリンダ６Ａ，６Ａ，６Ａ，６Ａと、昇降シリンダ６Ａ，６Ａ，６Ａ，６Ａのピストン部分に装着されている出退シリンダ６Ｂ，６Ｂ，６Ｂ，６Ｂとからなる。出退シリンダ６Ｂのピストン部分には、苗保持体２を支持する為の支持爪６ｂが取付けてある。スライド移動装置５の終端位置にはローラ５Ａで送られてきた苗保持体２を受け止めるためのストッパ６ａが設けてある。
【００２６】
以上のような構成により、苗保持体２は積上げられる。つまり、
イ．  図６に示すように、スライド移動装置５によって送られてきた苗保持体２はストッパ６ａによって所定位置に停止される。
ロ．  図７（イ）に示すように、出退シリンダ６Ｂが作動して、支持爪６ｂが苗保持体２の下方に入り込む。
ハ．  図７（ロ）に示すように、次に、昇降シリンダ６Ａを上昇作動させる。そうすると、下方に位置した支持爪６ｂが一体で昇降し苗保持体２を持上げる。
ニ．  図７（ハ）に示すように、支持爪６ｂで苗保持体２を持上げた状態を維持した状態で、次の苗保持体２を移送し、ストッパ６ａによって所定位置に停止させる。
ホ．  図７（ニ）に示すように、昇降シリンダ６Ａを短縮させ支持爪６ｂで持上げている苗保持体２を下降させ、所定位置に停止された苗保持体２の上に重ねる。
へ．  図７（ニ）に示すように、出退シリンダ６Ｂを短縮させて支持爪６ｂを苗保持体２の支持作用を解除する。
ト．  昇降シリンダ６Ａが更に短縮して所定の待機位置に戻る。
以後は、ロ．〜ト．の手順を繰り返して苗保持体２の積み上げを所定高さだけ行う。
【００２７】
〔別の実施の形態〕
吊上げ移動装置１として天井クレーンを用いる点を記載したが、天井クレーンよりも小型で作業者のスイッチ操作による運転が可能なホイストクレーン等の利用が可能である。
【図面の簡単な説明】
【図１】  育苗施設を示す全体側面図
【図２】  吊上げ移動装置で苗保持体を吊上げた状態を示す側面図
【図３】  苗保持体の積み重ね載置状態を示す側面図
【図４】  育苗施設の別実施例を示す側面図
【図５】  スライド移動装置を示す平面図
【図６】  積み重ね装置を示す側面図
【図７】  積み重ね装置の積み重ね手順を示す正面図
【図８】  従来の育苗施設を示す斜視図
【符号の説明】
１                吊上げ移動装置
２                苗保持体
２Ａ              間隔設定具
５                スライド移動装置
６                積み重ね装置
ａ                作物苗
Ｂ                育苗領域
Ｃ                花芽分化促進領域
【図１】
0003768133.tif 000002
【図２】
0003768133.tif 000003
【図３】
0003768133.tif 000004
【図４】
0003768133.tif 000005
【図５】
0003768133.tif 000006
【図６】
0003768133.tif 000007
【図７】
0003768133.tif 000008
【図８】
0003768133.tif 000009